(57)【要約】【課題】光源からの光の利用効率を向上させることができ、よって高輝度な表示を容易に行うことができる表示素子、及びこれを用いた電気機器を提供する。【解決手段】導電性液体１２を表示用空間Ｓの内部で移動させることにより、表示面側の表示色を変更可能に構成された表示素子２において、光を表示面側へ透過する透過部５ａと、光を表示面側に反射する反射部５ｂと、下部基板（第２の基板）４の非表示面側に設けられたバックライト（光源）１６と、下部基板４とバックライト１６との間に設けられたレンズ１０とを備え、透過部５ａの重心とレンズ１０の中心とを略一致させる。【選択図】図５
2009294246.tif 000002
【特許請求の範囲】
【請求項１】
表示面側に設けられた第１の基板と、所定の表示用空間が前記第１の基板との間に形成されるように、当該第１の基板の非表示面側に設けられた第２の基板と、前記表示用空間の内部に移動可能に封入された導電性液体とを具備し、前記導電性液体を移動させることにより、前記表示面側の表示色を変更可能に構成された表示素子であって、
前記導電性液体に接触するように、前記第１及び第２の基板の一方側に設けられた第１の電極と、
前記導電性液体に対して電気的に絶縁された状態で、前記第１及び第２の基板の他方側に設けられた第２の電極と、
前記第１及び第２の基板の少なくとも一方側に設けられて、光を前記表示面側へ透過する透過部と、
前記第２の基板側に設けられて、光を前記表示面側に反射する反射部と、
前記第２の基板の非表示面側に設けられた光源と、
前記第２の基板と前記光源との間に設けられたレンズとを備え、
前記透過部の重心と前記レンズの中心とを略一致させた、
ことを特徴とする表示素子。
【請求項２】
前記透過部及び前記反射部は、
前記透過部から前記表示面側に向かって透過される光量が最大である場合に、当該透過部での前記表示面側に光を透過する領域の面積をＳｔ１とするとともに、前記反射部での前記表示面側に光を反射する領域の面積をＳｒ１とし、かつ、
前記透過部から前記表示面側に向かって透過される光量が最大未満である場合に、当該透過部での前記表示面側に光を透過する領域の面積をＳｔ２とするとともに、前記反射部での前記表示面側に光を反射する領域の面積をＳｒ２としたときに、下記の不等式（１）を満たすように、
Ｓｔ１／Ｓｒ１  ＜  Ｓｔ２／Ｓｒ２                  ―――（１）
構成されている請求項１に記載の表示素子。
【請求項３】
複数の前記第１の電極が、所定の配列方向に沿って設けられ、
複数の前記第２の電極が、前記複数の第１の電極と交差するように設けられ、
前記複数の第１の電極は、それぞれ複数の走査電極及び複数の信号電極の一方の電極として用いられ、
前記複数の第２の電極は、それぞれ複数の走査電極及び複数の信号電極の他方の電極として用いられ、
前記複数の走査電極に接続されるとともに、前記複数の各走査電極に対して、所定の走査電圧を順次印加する走査電圧印加部と、
前記複数の信号電極に接続されるとともに、前記複数の各信号電極に対して、前記表示面側に表示される情報に応じた信号電圧を印加する信号電圧印加部とを備えている請求項１または２に記載の表示素子。
【請求項４】
複数の画素領域が、前記表示面側に設けられるとともに、
前記複数の各画素領域は、前記信号電極と前記走査電極との交差部単位に設けられ、かつ、前記各画素領域では、前記表示用空間が仕切壁にて区切られている請求項３に記載の表示素子。
【請求項５】
前記複数の画素領域が、前記表示面側でフルカラー表示が可能な複数の色に応じてそれぞれ設けられている請求項４に記載の表示素子。
【請求項６】
前記信号電圧印加部は、外部からの画像入力信号に基づいて、前記信号電圧の大きさを変更する請求項３〜５のいずれか１項に記載の表示素子。
【請求項７】
前記表示用空間の内部には、前記導電性液体と混じり合わない絶縁性流体が当該表示用空間の内部を移動可能に封入されている請求項１〜６のいずれか１項に記載の表示素子。
【請求項８】
前記第２の電極の表面上には、誘電体層が積層されている請求項１〜７のいずれか１項に記載の表示素子。
【請求項９】
前記透過部及び前記反射部が、前記第１及び第２の電極の一方の電極に設けられている請求項１〜８のいずれか１項に記載の表示素子。
【請求項１０】
文字及び画像を含んだ情報を表示する表示部を備えた電気機器であって、
前記表示部に、請求項１〜９のいずれか１項に記載の表示素子を用いたことを特徴とする電気機器。
【発明の詳細な説明】
【技術分野】
【０００１】
本発明は、導電性液体を移動させることにより、画像や文字などの情報を表示する表示素子、及びこれを用いた電気機器に関する。
【背景技術】
【０００２】
近年、表示素子では、エレクトロウェッティング方式の表示素子に代表されるように、外部電界による導電性液体の移動現象を利用して、情報の表示を行うものが開発され、実用化されている。
【０００３】
具体的にいえば、上記のような従来の表示素子では、例えば下記特許文献１に記載されているように、第１の支持プレートと第２の支持プレートとの間のスペースに互いに混合しない第１の液体及び少なくとも1つの第２の液体を有する画素が設けられている。また、第１の液体は、電気導電性または有極性である。また、この従来の表示素子では、画素において、少なくとも２つの異なる状態を作るための手段が設けられている。すなわち、この従来の表示素子では、上記液体のうちの一方の液体が、第１の状態において少なくとも第１の支持プレートに隣接し、第２の状態において他方の液体が少なくとも部分的に第１の支持プレートに隣接するようになっている。また、ここでいう第１の状態とは電圧を印加していない状態で第２の液体が画素内に広がっており、第２の状態とは電圧を印加することで第２の液体の画素内に占める面積が第１の状態より小さくなっている状態である。このような２つの異なる状態のいずれか一方の状態に電圧の変調にて切り替えることにより、この従来の表示素子では、情報を表示可能とされていた。
【０００４】
また、従来の表示素子では、例えば下記特許文献２に記載されているように、上記のような２つの液体を有する画素において、外部からの光を反射する反射部と、照明ユニットからの光を透過する透過部を設けたものが提案されている。そして、この従来の表示素子では、外部からの光と照明ユニットからの光を用いて、情報の表示が可能とされており、照明ユニットでの消費電力を低減しつつ、高精度な階調制御を簡単に行うことができるとされていた。
【特許文献１】特表２００５−５１７９９３号公報
【特許文献２】ＷＯ２００７／１４１２２０号公報
【発明の開示】
【発明が解決しようとする課題】
【０００５】
しかしながら、上記のような従来の表示素子では、照明ユニット（光源）からの光の利用効率を向上させることができなかった。この結果、従来の表示素子では、外部からの光（外光）と照明ユニットからの光とを用いたときでも、高輝度な表示を行うのが難しいという問題点があった。
【０００６】
上記の課題を鑑み、本発明は、光源からの光の利用効率を向上させることができ、よって高輝度な表示を容易に行うことができる表示素子、及びこれを用いた電気機器を提供することを目的とする。
【課題を解決するための手段】
【０００７】
上記の目的を達成するために、本発明にかかる表示素子は、表示面側に設けられた第１の基板と、所定の表示用空間が前記第１の基板との間に形成されるように、当該第１の基板の非表示面側に設けられた第２の基板と、前記表示用空間の内部に移動可能に封入された導電性液体とを具備し、前記導電性液体を移動させることにより、前記表示面側の表示色を変更可能に構成された表示素子であって、
前記導電性液体に接触するように、前記第１及び第２の基板の一方側に設けられた第１の電極と、
前記導電性液体に対して電気的に絶縁された状態で、前記第１及び第２の基板の他方側に設けられた第２の電極と、
前記第１及び第２の基板の少なくとも一方側に設けられて、光を前記表示面側へ透過する透過部と、
前記第２の基板側に設けられて、光を前記表示面側に反射する反射部と、
前記第２の基板の非表示面側に設けられた光源と、
前記第２の基板と前記光源との間に設けられたレンズとを備え、
前記透過部の重心と前記レンズの中心とを略一致させたことを特徴とするものである。
【０００８】
上記のように構成された表示素子では、光を表示面側へ透過する透過部及び光を表示面側に反射する反射部を有するとともに、第２の基板の非表示面側に設けられた光源と第２の基板と光源との間に設けられたレンズとを備えている。また、表示素子では、透過部の重心とレンズの中心とが略一致されている。これにより、表示素子では、上記従来例と異なり、光源からの光の利用効率を向上させることができる。従って、高輝度な表示を容易に行うことができる表示素子を構成することができる。
【０００９】
また、上記表示素子において、前記透過部及び前記反射部は、
前記透過部から前記表示面側に向かって透過される光量が最大である場合に、当該透過部での前記表示面側に光を透過する領域の面積をＳｔ１とするとともに、前記反射部での前記表示面側に光を反射する領域の面積をＳｒ１とし、かつ、
前記透過部から前記表示面側に向かって透過される光量が最大未満である場合に、当該透過部での前記表示面側に光を透過する領域の面積をＳｔ２とするとともに、前記反射部での前記表示面側に光を反射する領域の面積をＳｒ２としたときに、下記の不等式（１）を満たすように、
Ｓｔ１／Ｓｒ１  ＜  Ｓｔ２／Ｓｒ２                  ―――（１）
構成されていることが好ましい。
【００１０】
この場合、透過部から表示面側に向かって透過される光量が最大未満である場合において、透過部から表示面側に向かって透過される光量と、反射部から表示面側に向かって反射される光量とをほぼ同じにすることができ、透過部と反射部との間で輝度差が生じるのを防ぐことができる。
【００１１】
また、上記表示素子において、複数の前記第１の電極が、所定の配列方向に沿って設けられ、
複数の前記第２の電極が、前記複数の第１の電極と交差するように設けられ、
前記複数の第１の電極は、それぞれ複数の走査電極及び複数の信号電極の一方の電極として用いられ、
前記複数の第２の電極は、それぞれ複数の走査電極及び複数の信号電極の他方の電極として用いられ、
前記複数の走査電極に接続されるとともに、前記複数の各走査電極に対して、所定の走査電圧を順次印加する走査電圧印加部と、
前記複数の信号電極に接続されるとともに、前記複数の各信号電極に対して、前記表示面側に表示される情報に応じた信号電圧を印加する信号電圧印加部とを備えていてもよい。
【００１２】
この場合、多階調表示が容易なアクティブマトリクス方式の表示素子を構成することができる。
【００１３】
また、上記表示素子において、複数の画素領域が、前記表示面側に設けられるとともに、
前記複数の各画素領域は、前記信号電極と前記走査電極との交差部単位に設けられ、かつ、前記各画素領域では、前記表示用空間が仕切壁にて区切られていることが好ましい。
【００１４】
この場合、表示面側の複数の各画素において導電性液体を移動させることにより、表示面側での表示色を画素単位に変更することができる。
【００１５】
また、上記表示素子において、前記複数の画素領域が、前記表示面側でフルカラー表示が可能な複数の色に応じてそれぞれ設けられてもよい。
【００１６】
この場合、複数の各画素において対応する導電性液体が適切に移動されることにより、カラー画像表示を行うことができる。
【００１７】
また、上記表示素子において、前記信号電圧印加部は、外部からの画像入力信号に基づいて、前記信号電圧の大きさを変更することが好ましい。
【００１８】
この場合、複数の各画素において上記画像入力信号に応じた階調表示が行われることとなり、表示性能に優れた表示素子を構成することができる。
【００１９】
また、上記表示素子において、前記表示用空間の内部には、前記導電性液体と混じり合わない絶縁性流体が当該表示用空間の内部を移動可能に封入されていることが好ましい。
【００２０】
この場合、導電性液体の移動速度の高速化を容易に図ることができる。
【００２１】
また、上記表示素子において、前記第２の電極の表面上には、誘電体層が積層されてもよい。
【００２２】
この場合、誘電体層が導電性液体に印加する電界を確実に大きくして、当該導電性流体の移動速度をより容易に向上することができる。
【００２３】
また、上記表示素子において、前記透過部及び前記反射部が、前記第１及び第２の電極の一方の電極に設けられていることが好ましい。
【００２４】
この場合、構造簡単で薄型化された表示素子を容易に構成することができる。
【００２５】
また、本発明の電気機器は、文字及び画像を含んだ情報を表示する表示部を備えた電気機器であって、
前記表示部に、上記いずれかの表示素子を用いたことを特徴とするものである。
【００２６】
上記のように構成された電気機器では、光源からの光の利用効率を向上させることができ、高輝度な表示を容易に行うことができる表示素子が表示部に用いられているので、優れた表示性能を有する表示部を備えた高性能な電気機器を容易に構成することができる。
【発明の効果】
【００２７】
本発明によれば、光源からの光の利用効率を向上させることができ、よって高輝度な表示を容易に行うことができる表示素子、及びこれを用いた電気機器を提供することが可能となる。
【発明を実施するための最良の形態】
【００２８】
以下、本発明の表示素子及び電気機器の好ましい実施形態について、図面を参照しながら説明する。尚、以下の説明では、カラー画像表示を表示可能な表示部を備えた画像表示装置に本発明を適用した場合を例示して説明する。また、各図中の構成部材の寸法は、実際の構成部材の寸法及び各構成部材の寸法比率等を忠実に表したものではない。
【００２９】
［第１の実施形態］
図１は、本発明の第１の実施形態にかかる表示素子、及び画像表示装置を説明する平面図である。図１において、本実施形態の画像表示装置１では、本発明の表示素子２を用いた表示部が設けられており、この表示部には矩形状の表示面が構成されている。すなわち、表示素子２は、図１の紙面に垂直な方向で互いに重ね合うように配置された上部基板３及び下部基板４を備えており、これらの上部基板３と下部基板４との重なり部分によって上記表示面の有効表示領域が形成されている。
【００３０】
また、表示素子２では、複数の信号電極５が互いに所定の間隔をおいて、かつ、Ｙ方向に沿ってストライプ状に設けられている。また、表示素子２では、複数の走査電極６が互いに所定の間隔をおいて、かつ、Ｘ方向に沿ってストライプ状に設けられている。これら複数の信号電極５と複数の走査電極６とは、互いに交差するように設けられており、表示素子２では、信号電極５と走査電極６との交差部単位に、複数の各画素領域が設定されている。
【００３１】
さらに、表示素子２では、後に詳述するように、上記複数の各画素領域が仕切壁にて区切られるとともに、複数の画素領域が、上記表示面側でフルカラー表示が可能な複数の色に応じてそれぞれ設けられている。そして、表示素子２では、マトリクス状に設けられた複数の画素（表示セル）毎に、エレクトロウェッティング現象にて後述の導電性液体を移動させ、表示面側での表示色を変更するようになっている。
【００３２】
また、複数の信号電極５及び複数の走査電極６では、各々一端部側が表示面の有効表示領域の外側に引き出されて、端子部５ａ及び６ａが形成されている。
【００３３】
また、複数の信号電極５の各端子部５ａには、配線７ａを介して信号ドライバ７が接続されている。信号ドライバ７は、信号電圧印加部を構成するものであり、画像表示装置１が文字及び画像を含んだ情報を表示面に表示する場合に、複数の各信号電極５に対して、情報に応じた信号電圧を印加するように構成されている。
【００３４】
また、複数の走査電極６の各端子部６ａには、配線８ａを介して走査ドライバ８が接続されている。走査ドライバ８は、走査電圧印加部を構成するものであり、画像表示装置１が文字及び画像を含んだ情報を表示面に表示する場合に、複数の各走査電極６に対して、所定の走査電圧を印加するように構成されている。そして、画像表示装置１では、走査ドライバ８が例えば図１の上側から下側の各走査電極６に対し、所定の走査電圧を順次印加することにより、ライン毎の走査動作が行われるように構成されている。
【００３５】
また、画像表示装置１では、走査動作が行われているとき、すなわち走査ドライバ８が走査電極６に対し所定の走査電圧を印加しているときに、信号ドライバ７が外部からの画像入力信号に基づいて、対応する信号電極５への信号電圧の大きさを変更する。これにより、画像表示装置１では、複数の各画素において上記画像入力信号に応じた階調表示を行うことができ、表示素子２の表示性能を向上することができる。
【００３６】
また、信号ドライバ７及び走査ドライバ８には、直流電源または交流電源が含まれており、対応する信号電圧及び走査電圧を供給するようになっている。
【００３７】
ここで、図２〜図５も参照して、表示素子２の画素構造について具体的に説明する。
【００３８】
図２は上記表示素子の画素配列を示す拡大平面図であり、図３は上記表示素子の要部構成を示す拡大平面図である。図４は図３のＩＶ−ＩＶ線断面図であり、図５は図３のＶ−Ｖ線断面図である。なお、図２では、図面の簡略化のために、上記表示面に設けられた複数の画素のうち、図１の左上端部に配設された１２個の画素を図示している。
【００３９】
図２に例示するように、表示素子２では、複数の各画素領域Ｐが信号電極５と走査電極６との交差部単位に設けられている。また、各画素領域Ｐは、例えば正方形状に設定されており、画素領域Ｐで規定される複数の各画素が、図２に例示するように、Ｘ方向に隣接する２つの画素列がＹ方向で互いに微少にずらされるように設けられている。
【００４０】
詳細にいえば、表示素子２では、帯状の信号電極５と略帯状の走査電極６との交差部において、正方形状の画素領域Ｐが設定され、複数の画素が上記表示面の有効表示領域内に構成されている。また、画素領域Ｐでは、後述のリブに対向するように設けられた遮光膜としてのブラックマトリクス部９ｓにより、正方形状に区切られている。また、信号電極５は、各画素領域Ｐにおいて、二等辺三角形状に構成された透過部５ａと、この透過部５ａを除いた画素領域Ｐの部分に対向するように構成された略凹状の反射部５ｂとを備えている。そして、各画素領域Ｐでは、透過部５ａ及び反射部５ｂに対向するように、赤色（Ｒ）、緑色（Ｇ）、及び青色（Ｂ）のカラーフィルタ部９ｒ、９ｇ、及び９ｂがＹ方向に沿うように設けられている。これにより、表示素子２では、ＲＧＢを一組とする画素がＹ方向に沿って設けられている。
【００４１】
また、信号電極５において、透過部５ａは後述のバックライト（光源）からの光を表示面側に透過する透過電極として機能するようになっている。一方、反射部５ｂは、表示面側から入射された表示素子２の外部からの光（外光）を当該表示面側に反射する反射電極として機能するようになっている。また、カラーフィルタ部９ｒ、９ｇ、及び９ｂ及びブラックマトリクス部９ｓは、カラーフィルタ層として上記上部基板３の同一平面上に形成されている。
【００４２】
また、表示素子２は、図３〜図５も参照して、表示面側に設けられた第１の基板としての上記上部基板３と、上部基板３の背面側（非表示面側）に設けられた第２の基板としての上記下部基板４とを備えている。また、表示素子２では、上部基板３と下部基板４が互いに所定の間隔をおいて配置されることにより、これら上部基板３及び下部基板４の間に所定の表示用空間Ｓが形成されている。また、この表示用空間Ｓの内部には、上記導電性液体１２及びこの導電性液体１２と混じり合わない絶縁性のオイル１３が当該表示用空間Ｓの内部を移動可能に封入されている。
【００４３】
導電性液体１２は、透明な液体であり、この導電性液体１２には、例えば溶媒としての水と、溶質としての所定の電解質を含んだ水溶液が用いられている。具体的には、例えば１ｍｍｏｌ／Ｌの塩化カリウム（ＫＣｌ）の水溶液が導電性液体１２に用いられている。
【００４４】
また、オイル１３には、例えば側鎖高級アルコール、側鎖高級脂肪酸、アルカン炭化水素、シリコーンオイル、マッチングオイルから選択された１種または複数種からなる無極性なオイルが用いられている。また、オイル１３には、顔料や染料などによって黒色に着色されたものが使用されており、オイル１３は、各画素において、光の透過を許容または阻止するシャッターとして機能するようになっている。さらに、このオイル１３は、電圧印加による導電性液体１２の撥水膜１５上への広がりに伴って、表示用空間Ｓの内部を移動するようになっている（詳細は後述。）。
【００４５】
上部基板３には、無アルカリガラス基板などの透明なガラス材またはアクリル系樹脂などの透明な合成樹脂等の透明な透明シート材が用いられている。また、上部基板３の非表示面側の表面には、上記カラーフィルタ層が形成されており、さらには第１の電極としての走査電極６が設けられている。この走査電極６の表面にはオゾン処理等により親水処理が施されている。
【００４６】
また、下部基板４には、上部基板３と同様に、無アルカリガラス基板などの透明なガラス材またはアクリル系樹脂などの透明な合成樹脂等の透明な透明シート材が用いられている。また、下部基板４の表示面側の表面には、第２の電極としての信号電極５の透過部５ａ及び反射部５ｂが設けられており、さらに、下部基板４側には、信号電極５の透過部５ａ及び反射部５ｂを覆うように、誘電体層１４が形成されている。
【００４７】
また、この誘電体層１４の表示面側の表面には、Ｘ方向及びＹ方向にそれぞれ平行な部分を有するリブ１１が設けられている。このリブ１１には、誘電体層１４の表面側に形成された撥油層１１ａと、この撥油層１１ａ上に形成された親水層１１ｂが設けられている。また、リブ１１では、Ｘ方向及びＹ方向にそれぞれ平行に設けられた部分の間隔は各々例えば１００μｍに設定されている。さらに、下部基板４では、撥水膜１５がリブ１１及び所定の領域Ｋを除いて、誘電体層１４上を覆うように設けられている。また、領域Ｋは、正方形状の画素領域Ｐの中心（透過部５ａの一点）を、中心とする所定の半径を有する円形状の領域であり、オイル１３は例えば図３に示す状態から信号電極５及び走査電極６への電圧印加に応じて、領域Ｋに向かうように誘電体層１４上を広がるようになっている。
【００４８】
また、下部基板４の背面側（非表示面側）には、例えば白色の照明光を発光する光源としてのバックライト１６が組み付けられている。また、下部基板４とバックライト１６との間には、レンズ１０が設けられており、表示素子２では、図４及び図５に“Ｌ１”にて示すように、レンズ１０が透過部５ａに対し、バックライト１６からの射出光を効率良く透過させるように構成されている。
【００４９】
つまり、レンズ１０を設けることにより、当該レンズ１０と空気との界面で、これらレンズ１０と空気との屈折率差により、バックライト１６からの射出光は、図４及び図５に実線の矢印にて示すように、屈折し、透過部５ａを透過することになる。また、透過部５ａ直下のバックライト１６からの射出光もまた概ね屈折することなく、当該透過部５ａを透過することになる。従って、レンズ１０を設けることにより、透過部５ａに対して、バックライト１６からの射出光を効率良く透過させることができる。尚、図４に“Ｌ１’”にて示すように、レンズ１０を経て反射部５ｂに到達した光は、当該反射部５ｂで遮断されるようになっている。
【００５０】
レンズ１０には、例えば約１．５１の屈折率を有する透明樹脂（アクリル系樹脂またはエポキシ系樹脂）が用いられている。また、このレンズ１０には、例えば約６５μｍの曲率半径を有する球面レンズが使用されている。さらに、このレンズ１０は、下部基板４の非表示面側の表面上に上記透明樹脂を塗布した後、パターン化することにより形成されている。
【００５１】
また、図２に示すように、レンズ１０の配列は、平面的に見て、光利用効率を向上させるために略デルタ配列になっている。また、レンズ１０は、複数の各透過部５ａ、つまり画素単位に設けられている。
【００５２】
また、表示素子２では、平面的に見て、透過部５ａの重心とレンズ１０の中心は互いに一致するように構成されている。すなわち、表示素子２では、図５に示すように、透過部５ａの重心位置とレンズ１０の中心位置とが中心軸Ｃ上の位置となるように、透過部５ａ及びレンズ１０は構成されている。なお、レンズ１０の横方向のピッチ（図２に“Ａ”にて図示）及び縦方向のピッチ（図２に“Ｂ”にて図示）は、例えば約１００μｍ及び約５０μｍにそれぞれ設定されている。
【００５３】
また、図４に示すように、透過部５ａ（下部基板４の表示面側）からレンズ１０の頂点までの距離Ｈは、約１６５μｍに設定されている。なお、本実施形態では、下部基板４の厚み及び／またはレンズ１０の突出高さを調整することによって、上記距離Ｈの値が調節されている。
【００５４】
また、表示素子２では、図３に例示するように、上記仕切壁としてのリブ１１によって表示用空間Ｓが画素領域Ｐ単位に区切られており、リブ１１によってオイル１３が隣接する画素領域Ｐの表示用空間Ｓの内部に流入するのが防がれている。すなわち、リブ１１の撥油層１１ａには、オイル１３が反発するように、例えば厚み３μｍのフッ素系樹脂が用いられており、親水層１１ｂには、例えば厚み３μｍの光硬化性樹脂が用いられ、さらにはオゾン処理等により親水処理が施されている。また、リブ１１では、隣接する画素間でオイル１３の流入出が防止されるように、誘電体層１４からの突出高さが決定されている。
【００５５】
尚、上記の説明以外に、隣接する画素領域Ｐ同士が気密に区切られるように、上記枠状に構成されたリブ１１の先端部を上部基板３側に密接させてもよい。
【００５６】
撥水膜１５には、透明な合成樹脂、好ましくは電圧印加時に導電性液体１２に対し親水層となる、例えばフッ素系樹脂が使用されている。これにより、表示素子２では、上部基板３及び下部基板４の表示用空間Ｓ側の各表面側での導電性液体１２との間の濡れ性（接触角）を大きく変化させることができ、導電性液体１２の移動速度の高速化を図ることができる。
【００５７】
また、誘電体層１４には、例えば厚み３５０ｎｍの窒化ケイ素が用いられている。尚、この説明以外に、パリレンあるいは酸化アルミナを含有した透明な高誘電体膜を用いて、誘電体層１４を構成してもよい。
【００５８】
走査電極６及び信号電極５の透過部５ａには、酸化インジウム系（ＩＴＯ）、酸化スズ系（ＳｎＯ2）、または酸化亜鉛系（ＡＺＯ、ＧＺＯ、あるいはＩＺＯ）などの透明な電極材料が用いられている。一方、信号電極５の反射部５ｂには、アルミニウム、銀などの反射電極材料が用いられている。
【００５９】
また、走査電極６は、スパッタ法等の公知の成膜方法により、上部基板３上に所定の形状となるように形成されている。同様に、信号電極の透過部５ａ及び反射部５ｂは、スパッタ法等の公知の成膜方法により、下部基板１上に所定の形状となるように形成されている。
【００６０】
また、信号電極５では、図３に例示したように、透過部５ａは二等辺三角形状に形成され、反射部５ｂは正方形状の画素領域Ｐから透過部５ａを除いた略凹状に形成されているので、信号電極５では、表示面側から平面的に見た場合における、反射部５ｂの面積が透過部５ａの面積の３倍となるように、当該透過部５ａ及び反射部５ｂは構成されている。このように、透過部５ａの面積よりも反射部５ｂの面積を大きくすることにより、表示素子２では、明るい照明下の場合（すなわち、外光が強い場合）に、バックライト１６を点灯せずに、反射表示のみで情報表示を行うときでも、輝度不足を発生することなく、情報表示を適切に行うことができるようになっている。つまり、表示素子２では、バックライト１６での消費電力を低減しつつ、高輝度な表示を容易に行うことができるとともに、バックライト１６の光量を調整（調光）することによって高精度な階調制御を簡単に行うことができる。
【００６１】
ここで、図６を参照して、上記のように構成された本実施形態の画像表示装置１の動作について具体的に説明する。尚、以下の説明では、表示素子２の画素での表示色を変更する表示動作について主に説明する。また、表示素子２において、例えば２５６階調の階調表示が行われる場合について説明する。
【００６２】
図６は、上記表示素子での表示動作を説明する図である。
【００６３】
図６（ａ）に示すように、例えば０階調の階調表示が行われる場合、表示素子２では、走査ドライバ８が走査電極６に対して所定の走査電圧を印加し、信号ドライバ７が信号電極５に対して電圧値“０”の信号電圧を印加する。このとき、表示素子２では、同図６（ａ）に示すように、領域Ｋを除く、撥水膜１５の表面全面上にオイル１３が広がった状態であり、表示素子２では、オイル１３による黒色表示が行われる。すなわち、表示素子２では、バックライト１６からの光は透過部５ａを透過するが、オイル１３によって遮光される。同様に、表示素子２の外部からの外光は、オイル１３によって遮光されて、反射部５ｂに到達しない。従って、表示素子２では、例えば赤色のカラーフィルタ部９ｒによる表示が行われずに、黒色表示が行われる。
【００６４】
また、図６（ｂ）に示すように、例えば１２８階調の階調表示が行われる場合、表示素子２では、走査ドライバ８が走査電極６に対して所定の走査電圧を印加し、信号ドライバ７が信号電極５に対して最大電圧値の１／２の信号電圧を印加する。このように電圧印加が行われると、誘電体層１４に電荷が注入されて、撥水膜１５の表面状態が変化し導電性液体１２に対して濡れ易くなる。このため、表示素子２では、同図６（ｂ）に示すように、領域１２を起点として、導電性液体１２が画素上に広がるように、オイル１３を押しのけて移動（変形）する。従って、透過部５ａでは、オイル１３が存在しない領域で、バックライト１６からの光が透過するのを許容する。同様に、反射部５ｂでは、オイル１３が存在しない領域で、外光が当該反射部５ｂに到達して表示面側に反射される。この結果、表示素子２では、黒色表示と例えば赤色表示との中間調の表示が行われる。
【００６５】
また、図６（ｃ）に示すように、例えば２５６階調の階調表示が行われる場合、表示素子２では、走査ドライバ８が走査電極６に対して所定の走査電圧を印加し、信号ドライバ７が信号電極５に対して最大電圧値の信号電圧を印加する。このように電圧印加が行われると、誘電体層１４に電荷が注入されて、撥水膜１５の表面状態が変化し導電性液体１２に対して最も濡れ易くなる。このため、表示素子２では、同図６（ｃ）に示すように、領域１２を起点として、導電性液体１２が画素上ほぼ全体に広がるように、オイル１３を押しのけて最大限に移動（変形）する。従って、透過部５ａでは、オイル１３が存在しない領域が最大となって、バックライト１６からの光が透過するのを許容する。同様に、反射部５ｂでは、オイル１３が存在しない領域が最大となって、外光が当該反射部５ｂに到達して表示面側に反射される。この結果、表示素子２では、例えば赤色表示が最も明るい状態で行われる。
【００６６】
また、本実施形態の表示素子２では、導電性液体１２は信号電極５への電圧印加に応じて、領域Ｋを起点として正方形状に広がっていくようになっている。すなわち、本実施形態の表示素子２では、図６（ｂ）及び（ｃ）に例示するように、導電性液体１２とオイル１３との境界が透過部５ａの互いに等しい二辺上を移動するように、導電性液体１２は信号電極５への電圧印加に応じて変形するようになっており、オイル１３が除かれた透過部５ａの面積とオイル１３が除かれた反射部５ｂの面積との面積比が一定の比で階調表示が行われるように構成されている。
【００６７】
以上のように構成された本実施形態の表示素子２では、信号電極５に、光を表示面側へ透過する透過部５ａ及び光を表示面側に反射する反射部５ｂが設けられている。また、本実施形態の表示素子２は、下部基板（第２の基板）４の非表示面側に設けられたバックライト（光源）１６と下部基板４とバックライト１６との間に設けられたレンズ１０を備えている。さらに、本実施形態の表示素子２では、透過部５ａの重心とレンズ１０の中心とが一致されている。これにより、本実施形態の表示素子２では、透過部５ａと透過する光量が低下するのを極力防ぐことができ、上記従来例と異なり、バックライト１６からの光の利用効率を向上させることができる。従って、本実施形態では、高輝度な表示を容易に行うことができる表示素子２を構成することができる。
【００６８】
また、本実施形態の画像表示装置（電気機器）１では、表示素子２が表示部に用いられているので、優れた表示性能を有する表示部を備えた高性能な画像表示装置１を容易に構成することができる。
【００６９】
また、本実施形態の表示素子２では、複数の走査電極（第１の電極）６が複数の信号電極（第２の電極）５と交差するように設けられている。また、本実施形態の表示素子２では、信号ドライバ（信号電圧印加部）７及び走査ドライバ（走査電圧印加部）８が、信号電極５及び走査電極６に対して、信号電圧及び走査電圧をそれぞれ印加するようになっている。これにより、本実施形態では、多階調表示が容易なアクティブマトリクス方式の表示素子２を構成することができる。
【００７０】
尚、上記の説明では、透過部５ａの重心とレンズ１０の中心とを一致させた場合について説明したが、本実施形態はこれに限定されるものではなく、これら透過部５ａの重心とレンズ１０の中心とを略一致させて、バックライト（光源）１６からの光の利用効率を向上させたものであればよい。
【００７１】
具体的には、画素領域Ｐの面積に対する透過部５ａの面積（透過開口率）が例えば８．７％に設定されている場合において、透過部５ａの重心に対して、レンズ１０の中心が上記Ｘ方向にズレがない場合には、上記Ｙ方向でのレンズ１０の中心の許容ズレ範囲は、反射部５ｂ側のズレを＋とし、反射部５ｂと反対側のズレを−としたときに、画素領域Ｐの一辺の長さＰ１μｍの−４５％〜３０％である。また、透過部５ａの重心に対して、レンズ１０の中心が上記Ｘ方向にズレが±１５％以内である場合には、上記Ｙ方向でのレンズ１０の中心の許容ズレ範囲は、上記長さＰ１μｍの−１３％〜２％である。
【００７２】
［第２の実施形態］
図７は、本発明の第２の実施形態にかかる表示素子の要部構成を示す拡大平面図である。図８は図７のVIII−VIII線断面図であり、図９は図７のＩＸ−ＩＸ線断面図である。図において、本実施形態と上記第１の実施形態との主な相違点は、透過部から表示面側に向かって透過される光量が最大である場合に、当該透過部での表示面側に光を透過する領域の面積をＳｔ１とするとともに、反射部での表示面側に光を反射する領域の面積をＳｒ１とし、かつ、透過部から表示面側に向かって透過される光量が最大未満である場合に、当該透過部での表示面側に光を透過する領域の面積をＳｔ２とするとともに、反射部での表示面側に光を反射する領域の面積をＳｒ２としたときに、Ｓｔ１／Ｓｒ１  ＜  Ｓｔ２／Ｓｒ２の不等式（１）を満足するように、透過部及び反射部を構成した点である。なお、上記第１の実施形態と共通する要素については、同じ符号を付して、その重複した説明を省略する。
【００７３】
つまり、図７に例示するように、本実施形態の表示素子２では、四角形と半円とを組み合わせた形状の透過部５ａ’と、この透過部５ａ’を除いた画素領域Ｐの部分に対向するように構成された略凹状の反射部５ｂ’とが信号電極５に設けられている。これらの透過部５ａ’及び反射部５ｂ’は、第１の実施形態のものと異なり、階調表示での階調が異なる場合に、オイル１３が除かれた面積比が階調変化に応じて異なるように構成されており、透過部５ａ'と反射部５ｂ'との間で階調のズレの発生（つまり、輝度差の発生）を防ぐことができるようになっている。
【００７４】
具体的にいえば、透過部５ａ’及び反射部５ｂ’は、透過部５ａ’から表示面側に向かって透過される光量が最大である場合に、当該透過部５ａ’での表示面側に光を透過する領域の面積をＳｔ１とするとともに、反射部５ｂ’での表示面側に光を反射する領域の面積をＳｒ１とし、かつ、透過部５ａ’から表示面側に向かって透過される光量が最大未満である場合に、当該透過部５ａ’での表示面側に光を透過する領域の面積をＳｔ２とするとともに、反射部５ｂ’での表示面側に光を反射する領域の面積をＳｒ２としたときに、下記の不等式（１）を満たすように、
Ｓｔ１／Ｓｒ１  ＜  Ｓｔ２／Ｓｒ２                  ―――（１）
構成されている。これにより、本実施形態の表示素子２では、透過部５ａ’と反射部５ｂ’との間で輝度差が生じるのを防ぐことができるようになっている（詳細は後述。）。
【００７５】
また、図８及び図９に示すように、本実施形態の表示素子２では、第１の実施形態と同様に、下部基板４とバックライト１６との間にレンズ１０が設けられている。さらに、本実施形態の表示素子２では、第１の実施形態と同様に、平面的に見て、透過部５ａ’の重心とレンズ１０の中心は互いに一致するように構成されている。すなわち、表示素子２では、図９に示すように、透過部５ａ’の重心位置とレンズ１０の中心位置とが中心軸Ｃ上の位置となるように、透過部５ａ’及びレンズ１０は構成されている。
【００７６】
ここで、図１０〜図１３を参照して、本実施形態の表示素子２において、第１の実施形態と異なり、透過部５ａ’と反射部５ｂ’との間で輝度差の発生（階調のズレの発生）が防がれている点について具体的に説明する。
【００７７】
図１０は第１の実施形態にかかる表示素子での透過部と反射部との面積比を説明する図であり、図１１は第１の実施形態にかかる表示素子での階調と透過部または反射部の明るさとの関係を示すグラフである。図１２は第２の実施形態にかかる表示素子での透過部と反射部との面積比を説明する図であり、図１３は第２の実施形態にかかる表示素子での階調と透過部または反射部の明るさとの関係を示すグラフである。
【００７８】
第１の実施形態の表示素子２では、上述したように、オイル１３が除かれた透過部５ａの面積とオイル１３が除かれた反射部５ｂの面積との面積比が一定の比で階調表示が行われるように構成されている。すなわち、第１の実施形態の表示素子２では、図１０（ａ）及び図１０（ｂ）にそれぞれ示すように、例えば２５６階調及び１２８階調の階調表示が行われる場合、情報表示に有効な透過部５ａの面積と反射部５ｂの面積との面積比は一定の比である。
【００７９】
具体的にいえば、図１０（ａ）において、透過部５ａから表示面側に向かって透過される光量が最大である場合、つまりオイル１３によって覆われていない透過部５ａの面積が最大である場合に、当該透過部５ａでの表示面側に光を透過する領域の面積をＳｔ１が例えば８８３μｍ2とする。また、このとき、オイル１３によって覆われていない反射部５ｂの面積、つまり反射部５ｂでの表示面側に光を反射する領域の面積をＳｒ１が例えば５１１７μｍ2とすると、これら透過部５ａの面積と反射部５ｂの面積との面積比は、０．１７（＝８８３／５１１７）となる。
【００８０】
また、図１０（ｂ）において、透過部５ａから表示面側に向かって透過される光量が最大未満である所定の値、例えば最大値の１／６の値である場合に、透過部５ａでの表示面側に光を透過する領域の面積をＳｔ２が例えば１４７μｍ2とする。また、このとき、反射部５ｂでの表示面側に光を反射する領域の面積をＳｒ２が例えば８５４μｍ2とすると、これら透過部５ａの面積と反射部５ｂの面積との面積比は、０．１７（＝１４７／８５４）となる。
【００８１】
以上のように、第１の実施形態の表示素子２では、階調表示の階調値が異なる場合でも、透過部５ａの面積と反射部５ｂの面積との面積比が一定であるため、階調値の値によっては、透過部５ａを透過する光量（つまり、透過部５ａの明るさ）が反射部５ｂにて反射される光量（反射部５ｂの明るさ）に比べて小さくなった。
【００８２】
具体的には、例えば図１１に曲線５０にて示すように、透過部５ａの明るさが、同図１１に曲線６０にて示す反射部５ｂの明るさよりも小さくなり、これら透過部５ａと反射部５ｂとの間で輝度差）階調のズレ）が発生した。これは、階調値が小さくなって、透過部５ａのオイル１３に覆われていない有効な面積が小さくなるにつれて、レンズ１０で集光された光が透過し難くなるためである。
【００８３】
これに対して、本実施形態の表示素子２では、透過部５ａ’及び反射部５ｂ’が上記不等式（１）を満足するように構成されているので、第１の実施形態のものと異なり、透過部５ａ’と反射部５ｂ’との間で輝度差（階調のズレ）の発生を防ぐことができる。
【００８４】
具体的にいえば、図１２（ａ）において、透過部５ａ’から表示面側に向かって透過される光量が最大である場合、つまりオイル１３によって覆われていない透過部５ａ’の面積が最大である場合に、当該透過部５ａ’での表示面側に光を透過する領域の面積をＳｔ１が例えば８８３μｍ2とする。また、このとき、オイル１３によって覆われていない反射部５ｂ’の面積、つまり反射部５ｂ’での表示面側に光を反射する領域の面積をＳｒ１が例えば５１１７μｍ2とすると、これら透過部５ａ’の面積と反射部５ｂ’の面積との面積比は、０．１７（＝８８３／５１１７）となる。
【００８５】
また、図１２（ｂ）において、透過部５ａ’から表示面側に向かって透過される光量が最大未満である所定の値、例えば最大値の１／６の値である場合に、透過部５ａ’での表示面側に光を透過する領域の面積をＳｔ２が例えば３０７μｍ2とする。また、このとき、反射部５ｂ’での表示面側に光を反射する領域の面積をＳｒ２が例えば８５４μｍ2とすると、これら透過部５ａ’の面積と反射部５ｂ’の面積との面積比は、０．３６（＝３０７／８５４）となる。
【００８６】
以上のように、本実施形態の表示素子２では、透過部５ａ’及び反射部５ｂ’は不等式（１）を満足するように構成されているので、階調表示での階調値が最大階調値より小さくされたときに、オイル１３に覆われていない反射部５ｂ’の有効な面積に比べて、オイル１３に覆われていない透過部５ａ’ の有効な面積の低減率を小さくしている。すなわち、本実施形態の表示素子２では、第１の実施形態と異なり、低階調時の透過光量の低下分を補正するために低階調時の透過部５ａ’の面積を大きくし、反射部５ｂ’に対する占有面積比率を高くしているため、透過部５ａ’と反射部５ｂ’との間で輝度差（階調のズレ）を発生しない。
【００８７】
具体的には、例えば図１３に曲線７０にて示すように、透過部５ａ’の明るさは、階調表示での階調値に関わらず、同図１３に曲線８０にて示す反射部５ｂの明るさとほぼ同じであり、これら透過部５ａ’と反射部５ｂ’との間で輝度差）階調のズレ）を発生しない。
【００８８】
以上の構成により、本実施形態では、上記第１の実施形態と同様な作用・効果を奏することができる。また、本実施形態の表示素子２では、透過部５ａ’及び反射部５ｂ’が上記不等式（１）を満足するように構成されているので、透過部５ａ’から表示面側に向かって透過される光量が最大よりも小さい所定の値である場合において、透過部５ａ’から表示面側に向かって透過される光量と、反射部５ｂ’から表示面側に向かって反射される光量とをほぼ同じにすることができ、透過部５ａ’と反射部５ｂ’との間で輝度差が生じるのを防ぐことができる。
【００８９】
尚、上記の説明では、透過部５ａ’の重心とレンズ１０の中心とを一致させた場合について説明したが、本実施形態はこれに限定されるものではなく、これら透過部５ａ’の重心とレンズ１０の中心とを略一致させて、バックライト（光源）１６からの光の利用効率を向上させたものであればよい。
【００９０】
具体的には、画素領域Ｐの面積に対する透過部５ａ’の面積（透過開口率）が例えば８．８％に設定されている場合において、透過部５ａ’の重心に対して、レンズ１０の中心が上記Ｘ方向にズレがない場合には、上記Ｙ方向でのレンズ１０の中心の許容ズレ範囲は、反射部５ｂ’側のズレを＋とし、反射部５ｂ’と反対側のズレを−としたときに、画素領域Ｐの一辺の長さＰ１μｍの−１％〜＋１％である。また、透過部５ａ’の重心に対して、レンズ１０の中心が上記Ｙ方向にズレがない場合には、上記Ｘ方向でのレンズ１０の中心の許容ズレ範囲は、上記長さＰ１μｍの±９％である。
【００９１】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００９２】
例えば、上記の説明では、カラー画像表示を表示可能な表示部を備えた画像表示装置に本発明を適用した場合について説明したが、本発明は文字及び画像を含んだ情報を表示する表示部が設けられた電気機器であれば何等限定されるものではなく、例えば電子手帳等のＰＤＡなどの携帯情報端末、パソコンやテレビなどに付随する表示装置、あるいは電子ペーパーその他、各種表示部を備えた電気機器に好適に用いることができる。
【００９３】
また、上記の説明では、導電性液体への電界印加に応じて、当該導電性液体を移動させるエレクトロウェッティング方式の表示素子を構成した場合について説明したが、本発明の表示素子は、これに限定されるものではなく、外部電界を利用して、表示用空間の内部で導電性液体を動作させることにより、表示面側の表示色を変更可能な電界誘導型の表示素子であれば何等限定されるものではなく、電気浸透方式、電気泳動方式、誘電泳動方式などの他の方式の電界誘導型表示素子に適用することができる。
【００９４】
但し、上記各実施形態のように、エレクトロウェッティング方式の表示素子を構成する場合の方が、導電性液体を低い駆動電圧で高速に移動させることが可能となる。それ故、動画表示を容易に行うことが可能で、表示性能に優れた表示素子を容易に構成することができる点で好ましい。また、エレクトロウェッティング方式の表示素子では、導電性液体の移動に応じて表示色が変更されるので、液晶表示装置等と異なり、視野角依存性がない点でも好ましい。さらには、画素毎にスイッチング素子を設ける必要がないので、構造簡単で高性能なマトリクス駆動方式の表示素子を低コストで構成できる点でも好ましい。しかも、液晶層などの複屈折材料を用いていないので、情報表示に使用される、光源からの光や外光の光利用効率に優れた高輝度な表示素子を容易に構成できる点でも好ましい。
【００９５】
また、上記の説明では、走査電極（第１の電極）を上部基板（第１の基板）側に設けるとともに、信号電極（第２の電極）を下部基板（第２の基板）側に設けた場合について説明したが、本発明は、第１及び第２の基板の一方側に、導電性液体と接触するように第１の電極を設けるとともに、導電性液体に対して電気的に絶縁された状態で、第２の電極を第１及び第２の基板の他方側に設けるものであればよい。すなわち、第１の電極を第２の基板側に設けるとともに、第２の電極を第１の基板側に設けてもよい。また、上記の説明以外に、走査電極を第２の電極として第１及び第２の基板の一方側に設け、かつ、信号電極を第１の電極として第１及び第２の基板の他方側に設けてもよい。
【００９６】
また、上記の説明では、透過部及び反射部を信号電極（第２の電極）に設けた場合について説明したが、本発明の透過部は第１及び第２の基板の少なくとも一方側に設けられ、かつ、本発明の反射部は第２の基板側に設けられたものであればよい。具体的には、例えば透明な信号電極とは別個の透明な材料を用いた透明部を第１の基板側に設けるとともに、光を拡散反射する材料を用いた反射部を第２の基板側に設ける構成でもよい。
【００９７】
但し、上記各実施形態のように、透過部及び反射部を第１及び第２の電極の一方の電極に設ける場合の方が、構造簡単で薄型化された表示素子を容易に構成することができる点で好ましい。
【００９８】
また、上記の説明では、信号電極（第２の電極）を下部基板（第２の基板）の表示面側の表面に設けた場合について説明したが、本発明はこれに限定されるものではなく、絶縁材料からなる上記第２の基板の内部に埋設した第２の電極を用いることもできる。このように構成した場合には、第２の基板を誘電体層として兼用させることができ、当該誘電体層の設置を省略することができる。
【００９９】
また、上記の説明では、無極性のオイルを用いた場合について説明したが、本発明はこれに限定されるものではなく、導電性液体と混じり合わない絶縁性流体であればよく、例えばオイルに代えて、空気を使用してもよい。また、オイルとして、シリコーンオイル、脂肪系炭化水素などを使用することができる。
【０１００】
但し、上記の各実施形態のように、導電性液体と相溶性がない無極性のオイルを用いた場合の方が、空気と導電性液体とを用いる場合よりは、無極性のオイル中で導電性液体の液滴がより移動し易くなって、当該導電性液体を高速移動させることが可能となり、表示色を高速に切り換えられる点で好ましい。
【０１０１】
また、上記の説明では、黒色に着色されたオイル及びカラーフィルタ層を用いて、ＲＧＢの各色の画素を表示面側に設けた場合について説明したが、本発明はこれに限定されるものではなく、複数の画素領域が、表示面側でフルカラー表示が可能な複数の色に応じてそれぞれ設けられているものであればよい。具体的には、ＲＧＢ、シアン（Ｃ）、マゼンタ（Ｍ）、及びイエロー（Ｙ）のＣＭＹ、またはＲＧＢＹＣなどに着色された複数色のオイルを用いることもできる。
【産業上の利用可能性】
【０１０２】
本発明は、光源からの光の利用効率を向上させることができ、よって高輝度な表示を容易に行うことができる表示素子、及びこれを用いた電気機器に対して有用である。
【図面の簡単な説明】
【０１０３】
【図１】本発明の第１の実施形態にかかる表示素子、及び画像表示装置を説明する平面図である。
【図２】上記表示素子の画素配列を示す拡大平面図である。
【図３】上記表示素子の要部構成を示す拡大平面図である。
【図４】図３のＩＶ−ＩＶ線断面図である。
【図５】図３のＶ−Ｖ線断面図である。
【図６】上記表示素子での表示動作を説明する図である。
【図７】本発明の第２の実施形態にかかる表示素子の要部構成を示す拡大平面図である。
【図８】図７のVIII−VIII線断面図である。
【図９】図７のＩＸ−ＩＸ線断面図である。
【図１０】第１の実施形態にかかる表示素子での透過部と反射部との面積比を説明する図である。
【図１１】第１の実施形態にかかる表示素子での階調と透過部または反射部の明るさとの関係を示すグラフである。
【図１２】第２の実施形態にかかる表示素子での透過部と反射部との面積比を説明する図である。
【図１３】第２の実施形態にかかる表示素子での階調と透過部または反射部の明るさとの関係を示すグラフである。
【符号の説明】
【０１０４】
１  画像表示装置（電気機器）
２  表示素子（表示部）
３  上部基板（第１の基板）
４  下部基板（第２の基板）
５  信号電極（第１または第２の電極）
５ａ、５ａ’  透過部
５ｂ、５ｂ’  反射部
６  走査電極（第１または第２の電極）
７  信号ドライバ（信号電圧印加部）
８  走査ドライバ（走査電圧印加部）
１０  レンズ
１１  リブ（仕切壁）
１２  導電性液体
１３  オイル（絶縁性流体）
１４  誘電体層
１６  バックライト（光源）
Ｓ  表示用空間
Ｐ  画素領域
【図１】
2009294246.tif 000003
【図２】
2009294246.tif 000004
【図３】
2009294246.tif 000005
【図４】
2009294246.tif 000006
【図５】
2009294246.tif 000007
【図６】
2009294246.tif 000008
【図７】
2009294246.tif 000009
【図８】
2009294246.tif 000010
【図９】
2009294246.tif 000011
【図１０】
2009294246.tif 000012
【図１１】
2009294246.tif 000013
【図１２】
2009294246.tif 000014
【図１３】
2009294246.tif 000015